(57)【要約】  超解像の情報記録媒体、記録／再生装置及び記録／再生方法を提供する。  超解像効果が発生する情報記録媒体は、情報記録媒体に記録された信号の再生のために照射された光ビームにより少なくとも一部分に形成されたガスバブルを備える。これにより、超解像の情報記録媒体の光学的特性を向上させて記録／再生特性を改善させることができる。
2009505314.tif 000002
【特許請求の範囲】
【請求項１】
超解像効果が発生する情報記録媒体において、
前記情報記録媒体に記録された信号の再生のために照射された光ビームにより、少なくとも一部分に形成された空孔を含むことを特徴とする情報記録媒体。
【請求項２】
前記情報記録媒体には、前記照射された光ビームにより溶融された部分と前記ガスバブルが形成された部分とが共存することを特徴とする請求項１に記載の情報記録媒体。
【請求項３】
前記媒体は、低い溶融点または低い沸点を有する材料で構成された層を少なくとも備えることを特徴とする請求項１に記載の情報記録媒体。
【請求項４】
前記低い溶融点または低い沸点を有する材料は、Ｚｎ，Ｔｅ，Ｂｉ，Ｓｂのうち少なくとも一つを含むことを特徴とする請求項３に記載の情報記録媒体。
【請求項５】
前記低い溶融点または低い沸点を有する材料は、ＡｇＩｎＳｂＴｅを含むことを特徴とする請求項３に記載の情報記録媒体。
【請求項６】
前記媒体は、金属酸化物材料で構成された層をさらに備えることを特徴とする請求項３に記載の情報記録媒体。
【請求項７】
前記金属酸化物は、ＰｔＯｘを含むことを特徴とする請求項６に記載の情報記録媒体。
【請求項８】
超解像効果が発生する情報記録媒体に／からデータを記録／再生する記録／再生装置において、
前記情報記録媒体に所定パワーの光ビームを照射し、前記光ビームの照射により前記媒体の少なくとも一部分に生成された空孔を含む所定の部分から反射された光を検出するピックアップ部と、
前記情報記録媒体に所定パワーの光ビームを照射するように前記ピックアップ部を制御し、前記ピックアップ部から検出された光信号を処理する制御部と、を備えることを特徴とする記録／再生装置。
【請求項９】
前記制御部は、前記情報記録媒体に、前記空孔が生成されるように十分に高いパワーのビームを照射するように、前記ピックアップ部をさらに制御することを特徴とする請求項８に記載の記録／再生装置。
【請求項１０】
前記ピックアップ部は、前記媒体の所定の部分に、前記照射された光ビームにより溶融された部分と前記空孔とが共存して形成された部分を利用して、前記光を検出することを特徴とする請求項８に記載の記録／再生装置。
【請求項１１】
前記ピックアップ部は、前記媒体に含まれた低い溶融点または低い沸点を有する材料で構成された層を利用して、前記光ビームを検出することを特徴とする請求項８に記載の記録／再生装置。
【請求項１２】
前記低い溶融点または低い沸点を有する材料は、Ｚｎ，Ｔｅ，Ｂｉ，Ｓｂのうち少なくとも一つを含むことを特徴とする請求項１１に記載の記録／再生装置。
【請求項１３】
前記ピックアップ部は、前記媒体に含まれた金属酸化物材料で構成された層をさらに利用して、前記光ビームを検出することを特徴とする請求項１１に記載の記録／再生装置。
【請求項１４】
超解像効果が発生する情報記録媒体に／からデータを記録／再生する方法において、
前記情報記録媒体に所定パワーの光ビームを照射するステップと、
前記ビームの照射により、前記媒体の少なくとも一部分に生成された空孔を含む所定の部分から反射された光ビームを検出するステップと、
前記検出された光ビームを処理するステップと、を含むことを特徴とする記録／再生方法。
【請求項１５】
前記照射ステップは、前記情報記録媒体に前記空孔が生成されるように、十分に高いパワーの光ビームを照射するステップを含むことを特徴とする請求項１４に記載の記録／再生方法。
【請求項１６】
前記光検出ステップは、前記媒体の所定の部分に、前記照射された光ビームにより溶融された部分と前記空孔とが共存して形成された部分を利用して、前記光ビームを検出するステップを含むことを特徴とする請求項１４に記載の記録／再生方法。
【請求項１７】
前記光検出ステップは、前記媒体に含まれた低い溶融点または低い沸点を有する材料で構成された層を利用して、前記光ビームを検出するステップを含むことを特徴とする請求項１４に記載の記録／再生方法。
【請求項１８】
前記低い溶融点または低い沸点を有する材料は、Ｚｎ，Ｔｅ，Ｂｉ，Ｓｂのうち少なくとも一つを含むことを特徴とする請求項１７に記載の記録／再生方法。
【請求項１９】
前記光ビーム検出ステップは、前記媒体に含まれた金属酸化物材料で構成された層をさらに利用して、前記光ビームを検出するステップを含むことを特徴とする請求項１７に記載の記録／再生方法。
【請求項２０】
前記空孔は、蒸気、ガス、液体のうち少なくとも一つを含むことを特徴とする請求項１に記載の情報記録媒体。
【請求項２１】
ＡｇＩｎＳｂＴｅの比率が６：４．４：６１：２８．６であることを特徴とする請求項１に記載の情報記録媒体。
【請求項２２】
前記蒸気はＴｅ蒸気であり、前記ガスはＡｒガスであることを特徴とする請求項２０に記載の情報記録媒体。
【請求項２３】
前記空孔は、蒸気及びガスのうち少なくとも一つを取り囲む薄い層の液体であることを特徴とする請求項１に記載の情報記録媒体。
【請求項２４】
超解像効果を有する情報記録媒体において、
一対の誘電体層と、
前記一対の誘電体層の間に配列された第１相の相変化材料と、を含み、
第２相及び第３相の少なくとも一つのポケットが、前記情報記録媒体から信号を再生するために照射された光ビームにより、前記相変化材料の少なくとも一部に形成されることを特徴とする情報記録媒体。
【請求項２５】
前記第１相は固体相であり、前記第２相は液体相であり、前記第３相はガス相であることを特徴とする請求項２４に記載の情報記録媒体。
【請求項２６】
前記相変化材料は、Ｚｎ，Ｔｅ，Ｂｉ，Ｓｂのうち少なくとも一つを含むことを特徴とする請求項２４に記載の情報記録媒体。
【請求項２７】
前記相変化材料は、ＡｇＩｎＳｂＴｅであることを特徴とする請求項２４に記載の情報記録媒体。
【発明の詳細な説明】
【技術分野】
【０００１】
本発明は、超解像の光ディスクに／からデータを記録／再生する記録／再生装置及び記録／再生方法に関する。
【背景技術】
【０００２】
光学情報記録媒体の一つである光ディスクは、オーディオやビデオなどの各種情報の記録及び再生に広く使われる。かかる光ディスクとしては、例えばコンパクトディスク（ＣＤ）、デジタルビデオディスク（ＤＶＤ）などがあり、次世代の光ディスクの規格の論争となっているブルーレイディスク、高密度のＤＶＤなどがある。
【０００３】
１世代のＣＤ規格から３世代のＨＤ−ＤＶＤ規格に発展するまで保存容量の増大のために、トラックピッチは、１．６０μm、０．７４μm、０．３２μmに次第に減少し、最小マーク長は、０．８３μm、０．４０μm、０．１４９μmに次第に減少した。かかる光記録媒体の保存容量は、レーザービームの波長を短くするか、または対物レンズの開口数（Ｎｕｍｅｒｉｃａｌ  Ａｐｅｒｔｕｒｅ：ＮＡ）を高くすることによって増大する。しかし、現在の技術では、波長の短いレーザーを提供するのに限界があり、ＮＡの大きい対物レンズを製造するためには、製造コストが上昇するという問題がある。
【０００４】
一方、再生装置に利用される光源の波長がλであり、対物レンズの開口数がＮＡであるとき、λ／４ＮＡが再生分解能の限界となる。したがって、記録マークを極度に小さく形成できるとしても、通常光を用いた場合には再生は不可能である。すなわち、従来には、光源から照射された光は、λ／４ＮＡより小さい記録マークを区分できないため、記録マークを小さく形成しても情報再生が不可能であった。
【０００５】
最近では、かかる再生分解能の限界を克服するために、超解像効果が得られる金属酸化膜と相変化膜とを備えた超解像のディスク構造の光記録媒体が研究されている。かかる超解像のディスクにおいて、再生パワーが一定なパワー以上になれば、レーザースポット内の局部的な高温領域の相変化膜で溶融が起こり、このとき、溶融部と非溶融部との光学的特性差により超解像効果が得られると考えられる。かかる超解像効果を利用して、対物レンズにより情報記録媒体に集束されたレーザービームの分解能限界より小さい記録マークに対しても信号の再生が可能になる。
【０００６】
図１を参照して、超解像の情報記録媒体に照射された再生ビームのスポットで超解像現象が起こる領域を説明する。図１に示すように、超解像の情報記録媒体のトラック１００に沿ってマーク１１０が記録され、超解像層に結ばれる光スポット１２０内で部分的な光強度差により温度分布変化または光学的特性変化が起こるため、分解能限界を超える大きさを有するマーク１１０に対しても再生が可能になる。すなわち、光スポット１２０の一部領域で温度分布変化または光学的特性変化が起こり、前記一部領域の周辺領域１４０では、かかる変化が発生しないと考えられる。変化が起こる前記一部領域は、図１に示したように光スポット１２０の中心部または後半部となり、かかる一部領域が超解像領域１３０をなす。かかる光学特性変化領域の区分は、連続的であってもよく、非連続的であってもよい。
【０００７】
図２は、従来技術によって超解像の光ディスクで再生パワーによるＣ／Ｎ（Ｃａｒｒｉｅｒ  ｔｏ  Ｎｏｉｓｅ  Ｒａｔｉｏ）を示すグラフである。例えば、λ＝４０５ｎｍ、ＮＡ＝０．８５の光学系を使用するとき、再生分解能はλ／４ＮＡ＝１１９ｎｍであるが、図２は、金属酸化膜と相変化膜とを備えた超解像のディスクにおいて、分解能より小さい７５ｎｍのマークを再生する時の再生パワーによるＣ／Ｎを表す。図２を参照するに、約１．２ｍＷ以上の再生パワーでＣ／Ｎが約４０ｄＢとなって、信号が検出されるということが分かる。
【０００８】
このように、超解像効果が得られる金属酸化膜と相変化膜とを備えた超解像のディスクにおいて、再生パワーが一定なパワー以上になれば、レーザースポット内の局部的な高温領域の相変化膜で溶融が起こり、このとき、溶融部と非溶融部との光学的特性差により超解像効果が得られる。このとき、溶融されていない部分の相変化膜の微細構造と、溶融されていて凝固された相変化膜の微細構造とが異なる。
【０００９】
かかる超解像構造の光記録媒体が商用化されるためには、情報記録媒体として基本的に要求される記録特性及び再生特性を満足させねばならない。基本的な記録特性及び再生特性は多様であるが、そのうち、最も重要な特性は、Ｃ／Ｎ特性の確保である。特に、超解像近接場構造の情報記録媒体は、一般的な情報記録媒体に比べて、相対的に高いパワーの記録ビームと再生ビームとを使用するため、Ｃ／Ｎ特性の改善がさらに重要な課題となる
【発明の開示】
【発明が解決しようとする課題】
【００１０】
本発明の目的は、前記のような問題点を解決して、超解像の情報記録媒体の光学的特性を向上させて記録／再生特性を改善させる超解像の情報記録媒体、記録／再生装置及び記録／再生方法を提供するところにある。
【課題を解決するための手段】
【００１１】
前記目的を達成するための本発明の一つの特徴は、超解像効果が発生する情報記録媒体において、前記情報記録媒体に記録された信号の再生のために照射された光ビームにより少なくとも一部分に形成された空孔を含むものである。
【００１２】
前記情報記録媒体には、前記照射された光ビームにより溶融された部分と、前記空孔が形成された部分とが共存することもできる。
【００１３】
前記媒体は、低い溶融点または低い沸点を有する材料で構成された層を少なくとも備えることが望ましい。
【００１４】
前記低い溶融点または低い沸点を有する材料は、Ｚｎ，Ｔｅ，Ｂｉ，Ｓｂのうち少なくとも一つを含むことが望ましい。
【００１５】
前記低い溶融点または低い沸点を有する材料は、ＡｇＩｎＳｂＴｅを含むことが望ましい。
【００１６】
前記媒体は、金属酸化物材料で構成された層をさらに備えることが望ましい。
【００１７】
前記金属酸化物は、ＰｔＯｘを含むことが望ましい。
【００１８】
本発明の他の特徴は、超解像効果が発生する情報記録媒体に／からデータを記録／再生する記録／再生装置において、前記情報記録媒体に所定パワーのビームを照射し、前記ビームの照射により、前記媒体の少なくとも一部分に生成された空孔を含む所定の部分から反射された光を検出するピックアップ部と、前記情報記録媒体に所定パワーのビームを照射するように前記ピックアップ部を制御し、前記ピックアップ部から検出された光信号を処理する制御部とを備えるものである。
【００１９】
前記制御部は、前記情報記録媒体に前記空孔が生成されるように、十分に高いパワーのビームを照射するように前記ピックアップ部をさらに制御することが望ましい。
【００２０】
本発明のさらに他の特徴は、超解像効果が発生する情報記録媒体に／からデータを記録／再生する方法において、前記情報記録媒体に所定パワーのビームを照射するステップと、前記ビームの照射により、前記媒体の少なくとも一部分に生成された空孔を含む所定の部分から反射された光を検出するステップと、前記検出された光信号を処理するステップとを含むものである。
【発明の効果】
【００２１】
本発明によれば、空孔または蒸気、ガス液体またはその組み合わせの空孔により超解像の情報記録媒体の光学的特性を向上させて記録／再生特性を改善させることができる。
【発明を実施するための最良の形態】
【００２２】
以下、添付された図面を参照して、本発明を詳細に説明する。
【００２３】
図３は、本発明による超解像の情報記録媒体の一例を示す図である。本発明による超解像の情報記録媒体は、かかる超解像の情報記録媒体に記録された信号の再生のために照射された光ビームＬにより、少なくとも一部分に形成された空孔（図６Ａないし図７Ｃに示した）が生成されることによって、媒体の光学的特性を改善させる。また、空孔が生成された部分には、溶融された部分が共存しうる。したがって、空孔は、蒸気、ガス、液体またはその組み合わせを含む。
【００２４】
図３に示すように、本発明による超解像の情報記録媒体３００は、ポリカーボネートからなる基板３１０と、この基板上に順次に形成されるＺｎＳ−ＳｉＯ２からなる誘電体層３２０と、ＰｔＯｘの金属酸化物からなる記録層３３０と、ＺｎＳ−ＳｉＯ２からなる誘電体層３４０と、Ａｇ−Ｉｎ−Ｓｂ−Ｔｅ再生補助層３５０と、ＺｎＳ−ＳｉＯ２からなる誘電体層３６０と、その上部にスピンコーティングによる樹脂からなるカバー層と、を備える。このように構成された超解像の情報記録媒体は、前記カバー層を通じてレーザービームＬを照射することによって情報再生を行う。本発明の制限されない側面で、ＡｇＩｎＳｂＴｅの比率は、約６：４．４：６１：２８．６である。
【００２５】
Ａｇ−Ｉｎ−Ｓｂ−Ｔｅ再生補助層３５０は、必ずしもＡｇ−Ｉｎ−Ｓｂ−Ｔｅ材料を含むものではなく、低い溶融点温度または低い沸点温度を有する材料で構成されることが望ましい。かかる溶融点温度は、記録のための温度より低いか、または沸点温度が前記溶融点温度の３倍よりさらに低いとき、再生時に記録情報に影響を与えずに再生することができる。前記低い溶融点温度または低い沸点温度を有する材料は、Ｚｎ，Ｔｅ，Ｂｉ，Ｓｂのうち少なくとも一つを含む。
【００２６】
本発明の多様な側面で、再生補助層３５０は、Ｇｅまたはその組み合わせを含む。また、本発明の多様な側面で、基板３１０は、超解像の情報記録媒体の基板として使われるのに適した材料を含む。基板３１０は、また、ポリメチルメタクリレート（ＰＭＭＡ）、非晶質ポリオレフィン（ＡＰＯ）、ガラスまたはその組み合わせとなる。また、本発明の多様な側面で、誘電体層３２０，３４０，３６０は、酸化物、窒化物、炭化物、フッ化物、硫化物またはその組み合わせとなる。例えば、その組み合わせは、酸化シリコン（ＳｉＯｘ）、酸化マグネシウム（ＭｇＯｘ）、酸化アルミニウム（ＡｌＯｘ）、酸化チタン（ＴｉＯｘ）、酸化バナジウム（ＶＯｘ）、酸化クロム（ＣｒＯｘ）、酸化ニッケル（ＮｉＯｘ）、酸化ジルコニウム（ＺｒＯｘ）、酸化ゲルマニウム（ＧｅＯｘ）、酸化亜鉛（ＺｎＯｘ）、窒化シリコン（ＳｉＮｘ）、窒化アルミニウム（ＡｌＮｘ）、窒化チタン（ＴｉＮｘ）、窒化ジルコニウム（ＺｒＮｘ）、窒化ゲルマニウム（ＧｅＮｘ）、炭化シリコン（ＳｉＣ）、硫化亜鉛（ＺｎＳ）、硫化亜鉛−二酸化シリコン化合物（ＺｎＳ−ＳｉＯ２）、フッ化マグネシウム（ＭｇＦ２）またはその組み合わせとなる。
【００２７】
本発明の多様な側面で、記録層３３０は、酸化金属またはポリマー化合物となる。例えば、記録層３３０は、酸化金（ＡｕＯｘ）、酸化パラジウム（ＰｄＯｘ）、酸化銀（ＡｇＯｘ）またはその組み合わせとなる。Ｃ３２Ｈ１８Ｎ８，Ｈ２ＰＣは、記録層３３０のためのポリマー化合物として使われる。
【００２８】
図４は、本発明によって超解像の情報記録媒体に空孔を形成させる臨界パワーを示すグラフである。図４を参照するに、本発明による超解像の情報記録媒体に臨界パワー１．５ｍＷで、図５に示したように空孔が生成されるということを観察できる。実際の再生パワーは、前記臨界パワーより２０％以上高いので、再生時に空孔が形成されるのは明確である。
【００２９】
図５は、本発明によって、層の一部に空孔が形成された情報記録媒体の断面図である。図５を参照するに、ＡｇＩｎＳｂＴｅ層の一部に空孔が満たされているということが分かる。かかる空孔は、気体状態を表すため、溶融現象（液体）により超解像媒体を再生できるとする従来技術に比べて媒体の光学的特性がはるかに良好に表れる。
【００３０】
図６Ａは、本発明による超解像の情報記録媒体を製造した後の層の状態を示す図面である。図６Ａを参照するに、二つの誘電体層（ＺｎＳ−ＳｉＯ２）（図３の層３４０、３６０）の間にある固状の再生補助層（図３の層３５０に対応）には、アルゴン（Ａｒ）ガスが封印されているということが分かる。これは、成膜時にＡｒガス雰囲気で膜が製造されるため、製造過程で膜に封印されるガスをいう。
【００３１】
図６Ｂは、図６Ａに示した情報記録媒体に熱を加えた後の状態を示す図である。図６Ｂに示すように、図６Ａに示した状態の情報記録媒体に信号再生のための熱を加えれば、固状の再生補助層は溶融されて液体になりつつ、ガス分子が噴出され、部分的に合致されて蒸気の核を形成する。
【００３２】
図７Ａないし図７Ｃは、本発明によって、超解像の情報記録媒体に空孔が形成される原理を説明するための参考図である。
【００３３】
図７Ａに示すように、本発明による超解像の情報記録媒体に熱が加えられ始めて臨界パワーとなれば、誘電体層間の固体状の再生補助層は、液体に溶融され始め、中間にガスバブルが形成される。本発明の他の側面で、蒸気は、昇華により固状の再生補助層から直接生成される。本発明の他の例において、ガスバブルは、液体材料の薄い膜により取り囲まれたガス状材料がほとんどである。本発明の多様な側面で、固状の再生補助層は、固体相（第１相）の相変化材料を含む。光ビームが情報記録媒体から信号を再生するために照射されるとき、固体相は、液体（第２相）及び／またはガス（第３相）に変化する。したがって、少なくとも一つの異なる相のポケットが形成される。
【００３４】
図７Ｂに示すように、Ｔｅの場合は、蒸発温度が約９８０℃であって容易に気化され、この気化されたＴｅ微細蒸気が成長する。このとき、成長が急激に起こるのは、液体と気体との界面が生じ、気体の熱伝導率が非常に低いため、液体と気体との界面で温度が非常に高くなる過熱現象が発生し、さらにガスバブルは成長する。
【００３５】
図７Ｃに示すように、このときの封印されたガスは、成膜時のＡｒガスであり、このガスの成長過程は、図７Ｂの通りである。本発明の多様な側面で、ガスバブルの形成と成長、及びガスバブルの成長は同時に起こり、ガスバブルは、混合された蒸気とガスとを含んでいる空孔に癒着しうる。以上の分析により、ガスバブルは、Ｔｅ蒸気やＡｒガスまたはそのガス混合物で構成される。本発明の他の側面で、バブルの蒸気成分は、再生補助層の下位コンポジションに対応し、バブルのガス成分は、再生補助層の形成に利用されたガスに対応する。本発明の他の側面で、空孔は、液体材料の薄い膜により取り囲まれたガス材料となりうる。
【００３６】
図８は、超解像層の溶融部と比較して、本発明のガスバブル層の光学特性差を示す表である。図８に示すように、溶融により実効ビームスポットを形成すると考えられた従来技術によれば、そのコントラストが固体及び液体による特性変化に制限された。
【００３７】
しかし、本発明の場合には、空孔（蒸気、ガス及び／または液体）により実効ビームスポットを形成できる。したがって、固体と空孔、または固体とバブルと液体との混合の光学的特性の差から起こる超解像効果は、固体と液体との光学的特性の差から起こる超解像効果よりさらに大きい。したがって、さらに良好な光学的信号が得られる。図８を参照するに、本発明による超解像層の空孔部分は、屈折率ｎ＝１であり、吸光係数ｋ＝０に急激に変化するということが分かる。
【００３８】
図９は、本発明による記録／再生装置の一例を示す図である。図９に示すように、超解像の光ディスク再生装置９００は、本発明による超解像の情報記録媒体３００を回転駆動する駆動部と、情報記録媒体３００にレーザービームを照射し、媒体３００から反射される光ビームを検出するピックアップ部９１０と、ピックアップ部９１０を制御する制御部９２０と、を備える。特に、本発明による制御部９２０は、超解像の情報記録媒体にガスバブルが形成されるように、十分に高いパワーのビームを照射するようにピックアップ部９１０を制御する。
【００３９】
ピックアップ部９１０は、光源９１１、進められるビームの進路を変換するビームスプリッタ９１２、情報記録媒体３００に向かうビームを集束させる対物レンズ９１３及び光検出器９１４を備える。光源９１１は、所定パワーのレーザービームを照射する。光検出器９１４は、情報記録媒体３００から反射されたビームを受光して制御部９２０に提供する。
【００４０】
制御部９２０は、光検出器９１４により検出された信号からフォーカシング及びトラッキング制御を行い、また、光検出器９１４により検出された信号を処理してデータを再生する。制御部９２０は、プリアンプ９２１、サーボ制御部９２２、信号処理部９２３及びシステム制御部９２４を備える。
【００４１】
プリアンプ９２１は、光検出器９１１からフォーカシングのための信号及びトラッキングのための信号を生成して、それをサーボ制御部９２２に提供し、データは信号処理部９２３に提供する。
【００４２】
サーボ制御部９２２は、プリアンプ９２１からフォーカシング信号及びトラッキング信号を提供されて、サーボ制御のためにピックアップを制御する。特に、サーボ制御部９２２は、本発明によって、光源９１１のパワーを調節するためのパワー調節部９２５を備える。パワー調節部９２５は、情報記録媒体３００に空孔を生成できるように、十分に高いパワーのビームを照射するように光源９１１を制御することが望ましい。
【００４３】
信号処理部９２３は、プリアンプ９２１からデータを受信し、それを信号処理して再生装置の外部に提供するか、またはそれをシステム制御部９２４に提供する。
【００４４】
システム制御部９２４は、再生装置９００の各構成要素を制御する役割を行う。
【００４５】
たとえ記録／再生装置の用語でもって説明されたとしても、本発明の側面は、記録、再生またはその組み合わせ、すなわち記録及び／または再生装置を備える。
【００４６】
これまで、本発明について、その望ましい実施形態を中心に述べた。当業者は、本発明が、本発明の本質的な特性から逸脱しない範囲で変形された形態に具現可能であるということを理解できるであろう。したがって、開示された実施形態は、限定的な観点ではなく、説明的な観点で考慮されねばならない。本発明の範囲は、前述した説明ではなく、特許請求の範囲に表れており、それと同等な範囲内にあるあらゆる相違点は、本発明に含まれていると解釈されねばならない。
【図面の簡単な説明】
【００４７】
【図１】超解像の情報記録媒体に照射された再生ビームのスポットで超解像現象が起こる領域を説明するための参考図である。
【図２】従来技術によって超解像の光ディスクで再生パワーによるＣ／Ｎを示すグラフである。
【図３】本発明による超解像の情報記録媒体の一例を示す図である。
【図４】本発明によって超解像の情報記録媒体にガスバブルを形成させる臨界パワーを示すグラフである。
【図５】本発明によって層の一部に空孔が形成された情報記録媒体の断面図である。
【図６Ａ】本発明による超解像の情報記録媒体を製造した後の層の状態を示す図である。
【図６Ｂ】図６Ａに示した情報記録媒体に熱を加えた後の状態を示す図である。
【図７Ａ】本発明によって超解像の情報記録媒体に空孔が形成される原理を説明するための参考図である。
【図７Ｂ】本発明によって超解像の情報記録媒体に空孔が形成される原理を説明するための参考図である。
【図７Ｃ】本発明によって超解像の情報記録媒体に空孔が形成される原理を説明するための参考図である。
【図８】超解像層の溶融部と比較して、本発明の空孔層の光学特性差を示す表である。
【図９】本発明による記録／再生装置の一例を示す図である。
【図１】
2009505314.tif 000003
【図２】
2009505314.tif 000004
【図３】
2009505314.tif 000005
【図４】
2009505314.tif 000006
【図６Ａ】
2009505314.tif 000007
【図６Ｂ】
2009505314.tif 000008
【図７Ａ】
2009505314.tif 000009
【図７Ｂ】
2009505314.tif 000010
【図７Ｃ】
2009505314.tif 000011
【図８】
2009505314.tif 000012
【図９】
2009505314.tif 000013
【図５】
2009505314.tif 000014
【国際調査報告】
2009505314.tif 000015
2009505314.tif 000016